(57)【要約】【課題】本発明は、磨耗による劣化の発生が抑制された回転検出スイッチを提供することを目的とする。また、本発明は、回転ダイヤル部における磨耗による劣化が抑制された電子機器を提供することを目的とする。【解決手段】携帯電話機１は、第１部材としての筐体と、回転ダイヤル部４１と、回転ダイヤル部４１側に光を放射するＬＥＤ１３１と、回転ダイヤル部４１に配置されＬＥＤ１３１からの光を透過させると共に光の性質を変化させる光透過部Ａと、光透過部Ａとは異なる変化のさせ方で光の性質を変化させる光透過部Ｂと、筐体に配置され光透過部Ａ及び／又は光透過部Ｂからの光を感知可能なセンサ１３３ａ、１３３ｂ、１３３ｃと、１３３ａ、１３３ｂ、センサ１３３ｃにより感知された光の性質に基づいて回転ダイヤル部４１の回転を検出する回転検出部７２と、を備える回転検出スイッチを有する。【選択図】図４
2010010006.tif 000002
【特許請求の範囲】
【請求項１】
第１部材と、
前記第1部材に対して相対的に回転可能な第２部材と、
前記第２部材に向けて光を放射する放射部と、
前記第２部材に配置され前記放射部からの光を透過させると共に光の性質を変化させる第１光透過部と、
前記第２部材に配置され前記放射部からの光を透過させると共に前記第１光透過部とは異なる変化のさせ方で光の性質を変化させる第２光透過部と、
前記第１光透過部と前記第２光透過部との少なくとも一方から透過される光を感知可能な感知部と、
前記感知部により感知された光の性質に基づいて前記第２部材の回転を検出する回転検出部と、を備える
回転検出スイッチ。
【請求項２】
前記第１光透過部と、前記第２光透過部とは、前記第２部材の回転方向に並んで配置され、
前記第２部材が回転された場合、
前記放射部から放射された光は、前記第１光透過部とは前記第２光透過部との少なくとも一方を介して前記感知部に感知され、
前記回転検出部は、第１光透過部と前記第２光透過部との少なくとも一方を介して前記感知部により感知された光の性質に基づいて前記第２部材の回転を検出する
請求項１に記載の回転検出スイッチ。
【請求項３】
前記第１光透過部と前記第２光透過部との少なくとも一方は、前記放射部からの光の一部を前記感知部に向けて反射させる
請求項１又は２に記載の回転検出スイッチ。
【請求項４】
前記第１光透過部と前記第２光透過部との少なくとも一方は、前記放射部により放射された光の強度を変更することが可能である
請求項１から３のいずれかに記載の回転検出スイッチ。
【請求項５】
前記第１光透過部と前記第２光透過部との少なくとも一方は、前記放射部により放射された光の偏光角を変更することが可能である
請求項１から４のいずれかに記載の回転検出スイッチ。
【請求項６】
前記第１光透過部と前記第２光透過部との少なくとも一方は、前記放射部により放射された光の波長分布を変更することが可能である
請求項１から５のいずれかに記載の回転検出スイッチ。
【請求項７】
前記放射部は、可視光を放射可能であり、
前記第２部材における表面には、可視光を透過させる窓部により形成されるマークが形成され、
前記第１光透過部と前記第２光透過部との少なくとも一方は、前記放射部からの光を前記窓部へ導光する
請求項１から６のいずれかに記載の回転検出スイッチ。
【請求項８】
第１部材と、前記第１部材に対して相対的に回転可能な第２部材とを有する回転検出スイッチにおける回転検出方法であって、
前記第２部材側に放射部の光を放射するステップと、
放射部からの光であって、
前記第２部材に配置され前記放射部からの光を透過させると共に光の性質を変化させる第１光透過部と、前記第２部材に配置され前記放射部からの光を透過させると共に前記第１光透過部とは異なる変化のさせ方で光の性質を変化させる第２光透過部との少なくとも一方を透過した光を感知部で感知するステップと、
前記感知部により感知された光の性質に基づいて回転検出部により前記第２部材の回転を検出するステップと、を含む
回転検出方法。
【請求項９】
筐体と、
前記筐体に対して相対的に回転可能な回転ダイヤル部と、
前記回転ダイヤル部に向けて光を放射する放射部と、
前記回転ダイヤル部に配置され前記放射部からの光を透過させると共に光の性質を変化させる第１光透過部と、
前記回転ダイヤル部に配置され前記放射部からの光を透過させると共に前記第１光透過部とは異なる変化のさせ方で光の性質を変化させる第２光透過部と、
前記第１光透過部と前記第２光透過部との少なくとも一方からの光を感知可能な感知部と、
前記感知部により感知された光の性質に基づいて前記回転ダイヤル部の回転を検出する回転検出部と、を備える
電子機器。
【発明の詳細な説明】
【技術分野】
【０００１】
本発明は、回転検出スイッチ、回転検出方法及び電子機器に関する。
【背景技術】
【０００２】
近年、電子機器としての携帯電話機において、回転ダイヤルを有するものが市場に流通している。回転ダイヤルを有する携帯電話機１は、所定の回転検出手段により回転ダイヤルの回転量や回転ダイヤルの回転位置を検出して、回転量や回転位置に対応して割り当てられている所定のアプリケーションを選択して起動させる。このような携帯電話機１において、ユーザは、回転ダイヤルを回転させることで簡易に所望のアプリケーションを選択し、起動させることができる。
【０００３】
ここで、回転ダイヤルの回転を検出する回転検出手段として、例えば、エンコーダパターンを回転軸に接触させて回転ダイヤルの回転を検出する回転スイッチ（ローラ・スイッチ）が提案されている（例えば、特許文献１参照）。
【特許文献１】特開２００１−２３６８５９号公報
【発明の開示】
【発明が解決しようとする課題】
【０００４】
しかし、特許文献１に記載の回転検出手段は、エンコーダパターンが回転軸に接触する。従って、この接触によって回転ダイヤルをスムーズに回転させることが困難になるおそれがあった。
【０００５】
本発明は、回転がスムーズに行われる回転検出スイッチを提供することを目的とする。
また、本発明は、回転ダイヤル部における回転がスムーズな電子機器を提供することを目的とする。
【課題を解決するための手段】
【０００６】
本発明は、第１部材と、前記第１部材に対して相対的に回転可能な第２部材と、前記第２部材に向けて光を放射する放射部と、前記第２部材に配置され前記放射部からの光を透過させると共に光の性質を変化させる第１光透過部と、前記第２部材に配置され前記放射部からの光を透過させると共に前記第１光透過部とは異なる変化のさせ方で光の性質を変化させる第２光透過部と、前記第１光透過部と前記第２光透過部との少なくとも一方から透過される光を感知可能な感知部と、前記感知部により感知された光の性質に基づいて前記第２部材の回転を検出する回転検出部と、を備える回転検出スイッチに関する。
【０００７】
また、前記第１光透過部と、前記第２光透過部とは、前記第２部材の回転方向に並んで配置され、前記第２部材が回転された場合、前記放射部から放射された光は、前記第１光透過部とは前記第２光透過部との少なくとも一方を介して前記感知部に感知され、前記回転検出部は、第１光透過部と前記第２光透過部との少なくとも一方を介して前記感知部により感知された光の性質に基づいて前記第２部材の回転を検出することが好ましい。
【０００８】
また、前記第１光透過部と前記第２光透過部との少なくとも一方は、前記放射部からの光の一部を前記感知部に向けて反射させることが好ましい。
【０００９】
また、前記第１光透過部と前記第２光透過部との少なくとも一方は、前記放射部により放射された光の強度を変更することが可能であることが好ましい。
【００１０】
また、前記第１光透過部と前記第２光透過部との少なくとも一方は、前記放射部により放射された光の偏光角を変更することが可能であることが好ましい。
【００１１】
また、前記第１光透過部と前記第２光透過部との少なくとも一方は、前記放射部により放射された光の波長分布を変更することが可能であることが好ましい。
【００１２】
また、前記放射部は、可視光を放射可能であり、前記第２部材における表面には、可視光を透過させる窓部により形成されるマークが形成され、前記第１光透過部と前記第２光透過部との少なくとも一方は、前記放射部からの光を前記窓部へ導光することが好ましい。
【００１３】
本発明は、第１部材と、前記第１部材に対して相対的に回転可能な第２部材とを有する回転検出スイッチにおける回転検出方法であって、前記第２部材側に放射部の光を放射するステップと、放射部からの光であって、前記第２部材に配置され前記放射部からの光を透過させると共に光の性質を変化させる第１光透過部と、前記第２部材に配置され前記放射部からの光を透過させると共に前記第１光透過部とは異なる変化のさせ方で光の性質を変化させる第２光透過部との少なくとも一方を透過した光を感知部で感知するステップと、前記感知部により感知された光の性質に基づいて回転検出部により前記第２部材の回転を検出するステップと、を含む回転検出方法に関する。
【００１４】
本発明は、筐体と、前記筐体に対して相対的に回転可能な回転ダイヤル部と、前記回転ダイヤル部に向けて光を放射する放射部と、前記回転ダイヤル部に配置され前記放射部からの光を透過させると共に光の性質を変化させる第１光透過部と、前記回転ダイヤル部に配置され前記放射部からの光を透過させると共に前記第１光透過部とは異なる変化のさせ方で光の性質を変化させる第２光透過部と、前記第１光透過部と前記第２光透過部との少なくとも一方からの光を感知可能な感知部と、前記感知部により感知された光の性質に基づいて前記回転ダイヤル部の回転を検出する回転検出部と、を備える電子機器に関する。
【発明の効果】
【００１５】
本発明によれば、回転がスムーズに行われる回転検出スイッチを提供することができる。
また、本発明によれば、回転ダイヤル部における回転がスムーズな電子機器を提供することができる。
【発明を実施するための最良の形態】
【００１６】
以下、本発明の実施の形態について説明する。まず、図１から図９により、携帯電話機１における構成について説明する。
図１は、本発明に係る携帯電話機の一例である携帯電話機１の外観図を示す。図２は、回転ダイヤル部付近の拡大図を示す。図３は、回転ダイヤル部の機能を示す図である。図４は、回転ダイヤル部における回転を検出する検出構造を説明する図である。図５は、図４における回転ダイヤル部及び検出機構を矢印Ｅ方向から見た図である。図６は、光透過部Ａの構造を説明する断面図である。図７は、光透過部Ｂの構造を説明する断面図である。図８は、メール機能を選択した場合における光透過部の組み合わせを説明する図である。図９は、カレンダ機能を選択した場合における光透過部の組み合わせを説明する図である。
【００１７】
携帯電話機１は、図１に示すように、第１表面部１０を有する操作部側筐体２と第２表面部２０を有する表示部側筐体３と、を備える。操作部側筐体２の上端部と表示部側筐体３の下端部とは、連結部４に配置され開閉軸を中心に開閉可能なヒンジ機構４Ａを介して連結される。
【００１８】
携帯電話機１は、ヒンジ機構４Ａを介して連結された操作部側筐体２と表示部側筐体３とを相対的に回転することにより、操作部側筐体２における第１表面部１０と表示部側筐体３における第２表面部２０とが互いに離間した開状態と、操作部側筐体２における第１表面部１０と操作部側筐体２における第２表面部２０とが互いに対向して近接配置された閉状態とに開閉軸を中心に開閉可能に構成される。携帯電話機１における開閉状態は、操作部側筐体２に配置される不図示の磁石と、操作部側筐体２に配置される不図示のホール素子とにより構成される開閉センサにより検出される。
また、携帯電話機１は、ヒンジ機構４Ａと略同軸に設定された回転軸Ｚを中心に回転可能に取り付けられた回転ダイヤル部４１が配置される。
【００１９】
連結部４は、操作部側筐体２の一部と、表示部側筐体３の一部とにより構成される。連結部４を構成する操作部側筐体２の一部は、図１に示すように、開状態及において外部に露出する露出部１２０を有する。露出部１２０には、後述する回転ダイヤル部４１の回転量に対する目印となる目印４２が形成される。目印部としての目印４２は、回転ダイヤル部４１の回転量に対する目印となる。
【００２０】
操作部側筐体２は、第１表面部１０Ａと第１裏面部１０Ｂとを有する。操作部側筐体２における第１表面部１０Ａには、操作部１１と、使用者が通話時に発した音声が入力されるマイク１２とが配置される。操作部側筐体２における第１裏面部１０Ｂには、被写体を撮像するＣＣＤ（Ｃｈａｒｇｅ  Ｃｏｕｐｌｅｄ  Ｄｅｖｉｃｅ）カメラ等により構成される不図示の撮像部と、一定の光量を出力する不図示の発光部とが形成される。
【００２１】
操作部１１は、各種設定や電話帳機能やメール機能等の各種機能（アプリケーション）を動作させるためのキー、オフフックキーや、オンフックキーを含む機能設定操作ボタン１３と、電話番号の数字やメール等の文字等を入力するための入力操作ボタン１４と、各種操作における決定やスクロール等を行う決定操作ボタン１５と、ボリュームコントロール等を行うコントロールボタン１６と、から構成される。
ここで、携帯電話機１には、所定の機能（アプリケーション）を選択する操作部材として上述の機能設定操作ボタン１３のほか、後に詳述する回転ダイヤル部４１が配置される。
【００２２】
また、操作部側筐体２は、キー構造部と、キー基板と、ケース体と、基準電位パターン層及び携帯電話機用のＲＦ（Ｒａｄｉｏ  Ｆｒｅｑｕｅｎｃｙ）モジュール等の各種電子部品を備える回路基板と、アンテナ部と、充電池８０と、後述する回転ダイヤル部４１における回転量を検出するために用いられる放射部としてのＬＥＤ１３１と、感知部としての第１センサ１３３ａ、第２センサ１３３ｂ、第３センサ１３３ｃ（図４及び図５参照）と、を収容する。
【００２３】
表示部側筐体３における第２表面部２０には、各種情報を表示するための第１表示部としてのディスプレイ２１と、通話の相手側の音声を出力する音声出力部２２と、が配置される。
【００２４】
ディスプレイ２１は、トップ画面として通信・通話待受画像を表示する。また、ディスプレイ２１は、機能の内容を示す画像を含むメニュー画像が表示可能に構成される。
メニュー画像は、目印４２の横に並ぶ選択位置Ｓに配置された後述のアイコンＩに対応する機能（アプリケーション）の内容を示す画像（文字を含む）を含んで構成される。メニュー画像は、開状態において操作部１１及びディスプレイ２１側から見た回転ダイヤル部４１における機能表示部４１Ｂの表示態様と類似して構成される。本実施形態においては、メニュー画像は、アプリケーションに対応する機能の名称（略称）を含んで構成される。メニュー画像は、機能表示部４１ＢにおけるアイコンＩと同様（例えば、相似）の画像を含んで構成されていてもよい。
【００２５】
ここで、カメラ機能を動作させるアプリケーションが起動している場合、ディスプレイ２１には、撮像部１７により撮像される画像が表示可能に構成される。メール機能を動作させるアプリケーションが起動されている場合、ディスプレイ２１には、受信された電子メールの一覧やメール作成画面が表示可能に構成される。カレンダ機能を動作させるアプリケーションが起動されている場合、ディスプレイ２１には、各月のカレンダ画面やスケジュール画面が表示可能に構成される。ツール機能を動作させるアプリケーションが起動されている場合、ディスプレイ２１には、複数のツール機能を示すアイコンが表示可能に構成される。テレビ機能を動作させるアプリケーションが起動されている場合、ディスプレイ２１には、受信した放送信号のうち選択されたチャンネルに対応する放送信号に基づいた映像を表示可能に構成される。メモ帳機能を動作させるアプリケーションが起動されている場合、ディスプレイ２１には、文字入力が可能な入力画面が表示可能に構成される。アドレス帳機能を動作させるアプリケーションが起動されている場合、ディスプレイ２１には、不図示のメモリに記憶される複数のアドレス情報が表示可能に構成される。これらのアプリケーションは、オンフックキー（終話キー）の押下で終了することが可能である。
【００２６】
上述のアプリケーションが終了された場合、ディスプレイ２１は、トップ画面としての通信・通話の待受画面を表示する。そして、後述する制御部７４は、電話機能を使用可能なアプリケーションを動作させている。そして、操作部１１は、数字を入力する機能が割り当てられた入力操作ボタン１４が押下されることで発呼すべき電話番号の入力を受け付ける。
【００２７】
表示部側筐体３における第２裏面２０Ｂ（第２表面２０Ａと反対側の面）には、各種情報を表示するための不図示のサブディスプレイが配置される。
【００２８】
サブディスプレイは、ディスプレイ２１と同様に上述の各種機能を動作させるアプリケーションに基づく画像が表示される。具体的には、開状態の場合にはディスプレイ２１にアプリケーションに基づく画像が表示され、閉状態の場合にはサブディスプレイにアプリケーションに基づく画像が表示される。
【００２９】
サブディスプレイは、ディスプレイ２１に比べて画面が小さいので、ディスプレイ２１に表示される画像の一部や、相似（小さくした）画像が表示される。また、サブディスプレイ２３には、各種機能のうち携帯電話機１が閉状態の場合では起動されない機能を動作させるアプリケーションに基づく画像は表示されないように構成される。
【００３０】
ここで、ディスプレイ２１及びサブディスプレイそれぞれは、液晶パネルと、液晶パネルを駆動する駆動回路と、液晶パネルの背面側から光を照射するバックライト等の光源部とを有して構成される。
【００３１】
回転ダイヤル部４１は、回転軸Ｚを中心として回転可能に配置される。具体的には、回転ダイヤル部４１は、筐体の一部である連結部４における幅方向Ｘにヒンジ機構４Ａと略同軸の回転軸Ｚを中心として回転可能に取り付けられる。回転ダイヤル部４１は、図１及び図２に示すように、携帯電話機１が開状態において、操作部１１及びディスプレイ２１を見ながら回転操作が可能に配置される。また、回転ダイヤル部４１は携帯電話機１が閉状態において、サブディスプレイを見ながら回転操作が可能に配置される。
【００３２】
図１及び図２に示すように、第２部材としての回転ダイヤル部４１は、当接部４１Ａと、機能表示部４１Ｂとを備える。
当接部４１Ａは、回転ダイヤル部４１における側面であって、該回転ダイヤル部４１が取り付けられた状態で幅方向Ｘにおける端部側に配置される部分に形成される。当接部４１Ａは、表面に凹凸が形成され回転ダイヤル部４１を回転動作させやすいように構成される。
【００３３】
機能表示部４１Ｂは、回転ダイヤル部４１における側面であって、該回転ダイヤル部４１が取り付けられた状態で当接部４１Ａよりも幅方向Ｘにおける中央側に配置される部分に形成される。機能表示部４１Ｂには、表面に機能を示す記号又絵であるアイコンＩ（指標）が表示される。機能表示部４１Ｂには、図３に示すように、回転方向に所定角度（例えば、４５度）ごとに機能を示すアイコンＩが表示される。
【００３４】
具体的には、機能表示部４１Ｂには、標準位置（通話機能に対応）としてのニュートラルを示す丸印のアイコンＩａが表示される。また、機能表示部４１Ｂには、４５度（ニュートラルを基準とした場合の回転ａ方向の角度を示す。以下同様である。）の位置に形成されるカメラ機能を示すカメラのアイコンＩｂが表示される。また、機能表示部４１Ｂには、９０度の位置に形成されたメール機能を示す手紙のアイコンＩｃが表示される。また、機能表示部４１Ｂには、１３５度に形成されたカレンダ機能を示すカレンダのアイコンＩｄが表示される。また、機能表示部４１Ｂには、１８０度の位置に形成されたツール機能を示す工具のアイコンＩｅが表示される。また、機能表示部４１Ｂには、２２５度の位置に形成されたテレビ機能を示すテレビのアイコンＩｆが表示される。また、機能表示部４１Ｂには、２７０度の位置に形成されメモ帳機能を示すペンのアイコンＩｇが表示される。また、機能表示部４１Ｂには、３１５度の位置に形成されアドレス機能を示す手帳のアイコンＩｈが表示される。
【００３５】
機能表示部４１Ｂは、回転操作が加えられた当接部４１Ａの回転にともなって回転される。携帯電話機１が開状態における操作部１１及びディスプレイ２１側に表示されるアイコンＩは、当接部４１Ａによる回転にともなって変更される。更には、連結部４の外面であって携帯電話機１が開状態において操作部１１及びディスプレイ２１側を向く位置に形成される目印４２と幅方向Ｘに並んだ位置である選択位置Ｓに配置されるアイコンＩは、回転ダイヤル部４１の回転にともなって変更される。
ここで、本実施形態において、標準位置とは、機能表示部４１Ｂにおける丸印のアイコンＩａが選択位置Ｓに配置された状態をいう。
【００３６】
回転ダイヤル部４１における連結部４側には、連結部４に形成された不図示の挿通部に挿入される回転軸部４５（図５参照）が形成される。回転ダイヤル部４１における連結部４側の面である裏面４１Ｃには、円周方向において各機能を示すアイコンＩに対応した位置に後述の光透過部Ａ、Ｂが形成される。
【００３７】
回転ダイヤル部４１は、回転軸Ｚがヒンジ機構４Ａの開閉軸と同軸になるよう操作部側筐体２に取り付けられる。回転ダイヤル部４１は、操作部側筐体２における露出部１２０に隣接する位置に取り付けられる。つまり、回転ダイヤル部４１は、露出部１２０に配置された目印４２と隣接して配置される。
【００３８】
目印４２は、操作部側筐体２の一部であって連結部４を構成する部分に形成される。具体的には、目印４２は、連結部４における露出部１２０に形成される。目印４２は、携帯電話機１が開状態においても、閉状態においても外部から視認可能に露出される。つまり、開状態でも閉状態でも露出する位置に複数の指標（アイコンＩ）のいずれかを指し示す目印４２が配されている。
【００３９】
また、回転ダイヤル部４１も同様に、開状態においても、閉状態においても外部から視認可能に露出される。これにより、ユーザは、開状態及び閉状態において、外部から目印４２及び目印４２と並んで選択位置Ｓに配置されるアイコンＩを視認することができる。また、ユーザは、開状態及び閉状態において、外部から目印４２及び目印４２と並んで選択位置Ｓに配置されるアイコンＩを見ながら機能を変更することができる。
【００４０】
ここで、図４から図９により、回転ダイヤル部４１における回転を検出する回転検出機構１３０について説明する。
図４及び図５に示すように、回転検出機構１３０は、放射部としてのＬＥＤ１３１と、感知部としての第１センサ１３３ａ、第２センサ１３３ｂ、第３センサ１３３ｃと、光透過部Ａ、Ｂとを有する。
【００４１】
ここで、光透過部は、透光部と、導光部とを有して構成される。透光部は、光を屈曲又は散乱させる物質を含んだ光透過性の部分であり、ＬＥＤ１３１からの光を屈曲又は散乱させて後述の導光部に入光させる。導光部には、透光部からの光を感知部としてのセンサ側に反射させる導光部ＴＡと、透光部からの光をセンサ側に実質的に反射させない導光部ＴＢとがある。そして、第１光透過部としての光透過部Ａは、導光部ＴＡを含む光透過部である（図６参照）。また、第２光透過部としての光透過部Ｂは、導光部ＴＢを含む光透過部である（図７参照）。
【００４２】
図４に示すように、ＬＥＤ１３１と、第１センサ１３３ａ、第２センサ１３３ｂ、第３センサ１３３ｃとは、筐体（第１部材）としての操作部側筐体２及び表示部側筐体３の少なくとも一方に収容配置される。具体的には、ＬＥＤ１３１と、第１センサ１３３ａ、第２センサ１３３ｂ、第３センサ１３３ｃとは、連結部４に収容配置される。また、図５に示すように、ＬＥＤ１３１は、基板１４０における一方の面に実装され、第１センサ１３３ａ、第２センサ１３３ｂ、第３センサ１３３ｃは、基板１４０における他方に実装される。
【００４３】
図５から図９に示すように、ＬＥＤ１３１は、透光部１３５に近接して配置される。ＬＥＤ１３１は、透光部１３５に対して光を放射する。ＬＥＤ１３１は、回転ダイヤル部４１の直径方向において、第１センサ１３３ａ、第２センサ１３３ｂ、第３センサ１３３ｃよりも外側に配置される。
【００４４】
第１センサ１３３ａ、第２センサ１３３ｂ、第３センサ１３３ｃそれぞれは、導光部１３７ａ、１３７ｂ、１３７ｃそれぞれに近接して配置される。第１センサ１３３ａ、第２センサ１３３ｂ、第３センサ１３３ｃそれぞれは、フォトダイオード等により構成される。第１センサ１３３ａ、第２センサ１３３ｂ、第３センサ１３３ｃそれぞれは、導光部１３７ａ、１３７ｂ、１３７ｃそれぞれから出光した光（Ｌ５）の強さを検出する。第１センサ１３３ａ、第２センサ１３３ｂ、第３センサ１３３ｃは、回転ダイヤル部４１の直径方向において、ＬＥＤ１３１よりも内側に配置される。
【００４５】
光透過部を構成する透光部１３５は、ＬＥＤ１３１に近接して配置される。透光部１３５は、回転ダイヤル部４１の直径方向において、後述の導光部１３７ａ、１３７ｂ、１３７ｃよりも外側に積層配置される。透光部１３５は、光を屈曲又は散乱させる物質を含んで構成される光透過性を有する部分（例えば、半透明）である。
【００４６】
図６から図９に示すように、透光部１３５におけるＬＥＤ１３１側と反対側に所定距離だけ離間した位置には、マークとしてのアイコンＩが形成される。アイコンＩは、機能を示す絵の形状に沿って光透過性の部材で形成され可視光を透過部させる窓部を配置して形成されている。透光部１３５は、ＬＥＤ１３１からの光をアイコンＩまで導くと共に、アイコンＩの近傍でＬＥＤ１３１からの光を屈曲又は散乱させ、窓部から外部に光を透過させ外部対してアイコンＩを光らせる。
【００４７】
また、透光部１３５は、ＬＥＤ１３１からの光を屈折又は散乱させて一部の光を導光部１３７ａ、１３７ｂ、１３７ｃに入光させる。
【００４８】
導光部１３７ａ、１３７ｂ、１３７ｃそれぞれは、第１センサ１３３ａ、第２センサ１３３ｂ、第３センサ１３３ｃそれぞれに近接して配置される。後述の導光部１３７ａ、１３７ｂ、１３７ｃは、回転ダイヤル部４１の直径方向において、透光部１３５よりも内側に積層配置される。導光部１３７ａ、１３７ｂ、１３７ｃは、回転ダイヤル部４１における回転方向に並んで配置される。導光部１３７ａ、１３７ｂ、１３７ｃそれぞれは、光透過性の高い部材により構成され、透光部１３５からの光を好適に透過させる。
【００４９】
導光部１３７は、透光部１３５からの光を第１センサ１３３ａ、第２センサ１３３ｂ、第３センサ１３３ｃ側に反射させる導光部ＴＡと、透光部１３５からの光を実質的に第１センサ１３３ａ、第２センサ１３３ｂ、第３センサ１３３ｃ側に反射させない導光部ＴＢとを有する。上述の通り、導光部ＴＡを含む光透過部が第１光透過部としての光透過部Ａ（図６参照）であり、導光部ＴＢを含む光透過部が第２光透過部としての光透過部Ｂ（図７参照）である。
【００５０】
ここで、１つの透光部１３５に対して、３つの導光部１３７ａ、１３７ｂ、１３７ｃが積層配置される。つまり、１つの透光部１３５からの光が３つの導光部１３７ａ、１３７ｂ、１３７ｃに入光されるように構成される。
【００５１】
図６に示すように、光透過部Ａは、透光部１３５と、導光部ＴＡ（１３７ａ）とを有して構成される。導光部ＴＡは、第１センサ１３３ａ（出光側）と反対側の端部が所定角度（例えば、４５度）で傾いた傾斜部１３９Ａを有する。導光部ＴＡが傾斜部１３９Ａを有するので、光透過部Ａは、ＬＥＤ１３１からの光の一部を第１センサ１３３ａに出光させることができる。
【００５２】
具体的には、ＬＥＤ１３１から放射された光Ｌ１は、透光部１３５に入光される。透光部１３５の内部を進む光Ｌ２うち一部の光Ｌ３は、導光部ＴＡ（１３７ａ）に入光される。また、透光部１３５の内部を進む光Ｌ２うち一部の光Ｌ２ａは、窓部から外部に透過して外部に対してアイコンＩを光らせる。導光部ＴＡ（１３７ａ）に入光された光Ｌ３の一部は、傾斜部１３９Ａにより第１センサ１３３ａ側（筐体側）に反射される。そして、導光部ＴＡ（１３７ａ）から出光された光Ｌ５は、第１センサ１３３ａに受光される。
【００５３】
図７に示すように、光透過部Ｂは、透光部１３５と、導光部ＴＢ（１３７ａ）とを有して構成される。導光部ＴＢは、第１センサ１３３ａ（出光側）と反対側の端部が垂直な壁部１３９Ｂを有する。導光部ＴＢが上述の傾斜部１３９Ａを有しないので、光透過部Ａは、ＬＥＤ１３１からの光の一部を第１センサ１３３ａに実質的に出光させない（若しくは、出光される光が弱い）。
【００５４】
具体的には、ＬＥＤ１３１から放射された光Ｌ１は、透光部１３５に入光される。透光部１３５の内部を進む光Ｌ２うち一部の光Ｌ３は、導光部ＴＢ（１３７ａ）に入光される。また、透光部１３５の内部を進む光Ｌ２うち一部の光Ｌ２ａは、窓部から外部に透過して外部に対してアイコンＩを光らせる。
【００５５】
導光部ＴＢ（１３７ａ）に入光された光Ｌ３は、壁部１３９Ｂ等により反射されるが、第１センサ１３３ａ側に指向性を有して反射されることはない。つまり、導光部ＴＢ（１３７ａ）からは実質的には光は出光されず、第１センサ１３３ａには所定以上の強さの光は受光されない。
【００５６】
ここで、第１センサ１３３ａ、第２センサ１３３ｂ、第３センサ１３３ｃそれぞれにより受光された光の強さ（性質）に応じて、後述の回転検出部７２により、回転ダイヤル部４１における回転位置及び該回転位置に割り当てられた機能（アプリケーション）が検出される。
【００５７】
具体的には、第１センサ１３３ａ、第２センサ１３３ｂ、第３センサ１３３ｃそれぞれに近接して配置される光透過部（導光部）の組み合わせにより、回転検出部７２は、回転ダイヤル部４１における回転位置及び該回転位置に割り当てられた機能（アプリケーション）を検出する。ここで、図８及び図９により、具体例をあげて説明する。
【００５８】
図８に示すように、第１センサ１３３ａ、第２センサ１３３ｂ、第３センサ１３３ｃそれぞれは、光透過部Ｂ、光透過部Ａ、光透過部Ｂそれぞれから出光した光を受光する。この場合、後述の回転検出部７２は、後述の記憶部１００のテーブル１１０を参照して、回転角度が９０度であり、メール機能（Ｎｏ．３）が選択されたことを検出する。
【００５９】
また、図９に示すように、第１センサ１３３ａ、第２センサ１３３ｂ、第３センサ１３３ｃそれぞれは、光透過部Ａ、光透過部Ａ、光透過部Ｂそれぞれから出光した光を受光する。この場合、後述の回転検出部７２は、後述の記憶部１００のテーブル１１０を参照して、回転角度が１３５度であり、カレンダ機能（Ｎｏ．３）が選択されたことを検出する。
【００６０】
次いで、図１０及び図１１により、携帯電話機１における機能的な構成について説明する。
図１０は、携帯電話機１の機能を示す機能ブロック図である。図１１は、記憶部１００に記憶されるテーブル１１０である。
図１０に示すように、携帯電話機１は、所定の情報を表示するディスプレイ２１と、ユーザの操作により回転される回転ダイヤル部４１と、外部の端末と通信を行う通信部６０と、所定の処理を行う処理部７０と、所定容量を有する充電池８０と、充電池８０から供給される電源電圧を所定の電圧に変換し変換後の電圧を通信部６０や処理部７０等に供給する電源回路部９０と、記憶部１００と、を備える。
【００６１】
通信部６０は、所定の使用周波数帯により外部装置と通信を行うメインアンテナ６１と、変調処理又は復調処理等の信号処理を行う通信処理部６２と、を備える。
【００６２】
メインアンテナ６１は、所定の使用周波数帯（例えば、８００ＭＨｚ）で外部装置（基地局）と通信を行う。なお、所定の使用周波数帯は、８００ＭＨｚとは異なる周波数帯であってもよい。また、メインアンテナ６１は、所定の使用周波数帯の他に、第２の使用周波数帯（例えば、２ＧＨｚ）に対応できる、いわゆるデュアルバンド対応型による構成であってもよいし、更に、第３の使用周波数帯以上にも対応できる複数バンド対応型により構成されていてもよい。
【００６３】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００６４】
電源回路部９０は、充電池８０から供給される電源電圧を所定の電圧値に変圧し、変圧後の電源電圧を通信部６０や処理部７０等に供給する。
【００６５】
記憶部１００は、処理部７０にて実行される多数のプログラム及びパラメータや各種テーブル等が記憶される。
具体的には、記憶部１００は、制御部７４にて起動、終了、中断等がなされる多数のアプリケーションプログラムや、これら複数のアプリケーションにて使用されるパラメータ、複数のアプリケーションプログラムを動作させるためのＯＳプログラムの他、回転検出部７２にて検出される回転量（カウント数）と複数のアプリケーションとの対応関係を示すテーブルや、図１１に示す各センサに近接して配置される光透過部のタイプと選択される機能や回転角度との対応関係を示すテーブル１１０を記憶している。
なお、複数のアプリケーションプログラムには、基準アプリケーション、ミュージック・プレーヤー、カメラ、メール等の携帯電話機１が有するアプリケーションごとのアプリケーションプログラムが含まれる。
【００６６】
処理部７０は、回転ダイヤル部４１の回転（位置、量）に応じて各種機能に対する起動処理を行う。
ここで、処理部７０の構成と動作について説明する。
処理部７０は、回転ダイヤル部４１の回転を検出する回転検出部７２と、回転検出部７２により検出された回転に応じた機能を動作させる所定のアプリケーションを起動し、当該起動した所定のアプリケーションに対応する表示画面をディスプレイ２１に表示するよう制御する制御部７４と、を備える。
【００６７】
回転検出部７２は、上述の通り、回転検出機構１３０を構成する各センサ１３３ａ、１３３ｂ、１３３ｃにおける検出結果に基づいて、記憶部１００に記憶されるテーブル（図１１参照）を参照して、回転ダイヤル部４１の回転角度（回転位置）及び選択された機能（アプリケーション）を検出する。
【００６８】
図５及び図１１を用いて具体的に説明すると、角度が０度のときは、第１センサ１３３ａは導光部ＴＢと、第２センサ１３３ｂは導光部ＴＢと、第３センサ１３３ｃは導光部ＴＢと対向するように配置される。また、角度が４５度のときは、第１センサ１３３ａは導光部ＴＡと、第２センサ１３３ｂは導光部ＴＢと、第３センサ１３３ｃは導光部ＴＢと対向するように配置される。また、角度が９０度のときは、第１センサ１３３ａは導光部ＴＢと、第２センサ１３３ｂは導光部ＴＡと、第３センサ１３３ｃは導光部ＴＢと対向するように配置される。また、角度が１３５度のときは、第１センサ１３３ａは導光部ＴＡと、第２センサ１３３ｂは導光部ＴＡと、第３センサ１３３ｃは導光部ＴＢと対向するように配置される。また、角度が１８０度のときは、第１センサ１３３ａは導光部ＴＢと、第２センサ１３３ｂは導光部ＴＢと、第３センサ１３３ｃは導光部ＴＡと対向するように配置される。また、角度が２２５度のときは、第１センサ１３３ａは導光部ＴＡと、第２センサ１３３ｂは導光部ＴＢと、第３センサ１３３ｃは導光部ＴＡと対向するように配置される。また、角度が２７０度のときは、第１センサ１３３ａは導光部ＴＢと、第２センサ１３３ｂは導光部ＴＡと、第３センサ１３３ｃは導光部ＴＡと対向するように配置される。また、角度が３１５度のときは、第１センサ１３３ａは導光部ＴＡと、第２センサ１３３ｂは導光部ＴＡと、第３センサ１３３ｃは導光部ＴＡと対向するように配置される。
【００６９】
制御部７４は、回転検出部７２により検出された回転角度（位置）に対応して起動可能な状態になっているアプリケーションを起動させる。制御部７４は、回転検出部７２により回転角度（位置）が検出されると、複数の指標（アイコンＩ）のうち、目印４２によりさし示される指標（アイコンＩ）に対応する所定のアプリケーションを起動させる。
【００７０】
制御部７４は、回転ダイヤル部４１の回転が生じる都度、記憶部１００のアプリケーション対応関係のテーブル１１０を参照し、選択されたアプリケーションを特定する。
【００７１】
続けて、図１２により、本実施形態における携帯電話機１の動作について説明する。
図１２は、携帯電話機１の動作を説明するフローチャートである。
【００７２】
ユーザは、回転ダイヤル部４１を回転するため回転ダイヤル部４１における当接部４１Ａに指を置く。そして、ユーザは、目印４２を選択位置Ｓの目印として、選択位置Ｓに所定の機能を示すアイコンＩが配置されるよう回転ダイヤル部４１を回転移動させる（ＳＴ１）。
【００７３】
回転ダイヤル部４１が回転され所定のアイコンＩが選択位置Ｓに配置された状態で、ＬＥＤ１３１は、光透過部を構成する透光部１３５に光Ｌ１を照射（放射）させる（ＳＴ２）。ＬＥＤ１３１からの光Ｌ１は、透光部１３５の内部を光Ｌ２として進む。そして、光Ｌ２における一部の光Ｌ２ａは、窓部から外部に透過して外部に対してアイコンＩを光らせる。また、光Ｌ２における一部の光Ｌ３は、導光部１３７ａ、１３７ｂ、１３７ｃに入光される。ここで、光透過部が光透過部Ａである場合、光Ｌ３の一部が傾斜部１３９Ａに反射されて各センサ１３３ａ、１３３ｂ、１３３ｃ側に向かう。また、光透過部が光透過部Ｂである場合、光Ｌ３の全部又は一部は、各センサ１３３ａ、１３３ｂ、１３３ｃ側に指向性を有して向かうことはない。
【００７４】
各センサ１３３ａ、１３３ｂ、１３３ｃは、上述の光透過部Ａ又は光透過部Ｂからの光を受光する（ＳＴ３）。各センサ１３３ａ、１３３ｂ、１３３ｃは、受光した光の情報を回転検出部７２に出力する。
【００７５】
回転検出部７２は、各センサ１３３ａ、１３３ｂ、１３３ｃからの受光情報に基づいて、テーブル１１０を参照して、回転ダイヤル部４１の回転角度及び割り当てられた機能を動作するアプリケーションを検出する（ＳＴ４）。
【００７６】
制御部７４は、回転検出部７２により検出された機能を動作するアプリケーションを起動させる（ＳＴ５）。
【００７７】
制御部７４は、起動されるアプリケーションに基づく画像をディスプレイ２１に表示させる（ＳＴ６）。例えば、カメラ機能を動作させるアプリケーションに基づく画像として、撮像部１７を介して撮像可能な被写体の画像をディスプレイ２１に表示することができる。
【００７８】
続けて、ユーザは、機能終了キー（例えば、終話キー、オンフックキー）を押下して起動されたアプリケーションを終了させる（ＳＴ７）。機能終了キーが押下され起動されていたアプリケーションが終了された場合、例えば、カメラ機能に関する表示が終了され、ディスプレイ２１には、トップ画面としての通信・通話の待受画面が表示される。
【００７９】
本実施形態によれば、回転ダイヤル部４１を直接操作することにより、一定条件下において、回転ダイヤル部４１に割り当てられている各種機能を直接的に起動させることができ、従来のようにメインメニューを経由する必要がなく、簡易に所望するアプリケーションを起動することができる。
【００８０】
また、本実施形態によれば、回転検出に光を用いるため、回転がスムーズに行われる回転検出スイッチを提供することができる。この場合、第1部材は、操作部側筐体２及び／又は表示部側筐体３であり、第２部材は、回転ダイヤル部４１である。また、回転ダイヤル部における回転検出に光を用いるため、回転がスムーズに行われる電子機器を提供することができる。
【００８１】
また、本実施形態によれば、３つのセンサにより光透過部からの光を受光しているので、スイッチングのための情報量が多い。
【００８２】
また、回転検出機構１３０の構造が単純であるので、コストを安くすることができる。
【００８３】
以上、好適な実施形態について説明したが、本発明は上述した実施形態に限定されることなく種々の形態で実施することができる。例えば、本実施形態において、携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）ナビゲーション装置等であってもよい。
【００８４】
また、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが１つの筐体に配置され連結部を有さない型式（ストレートタイプ）でもよい。また、携帯電話機１は、開閉及び回転可能ないわゆる２軸ヒンジタイプであってもよい。
【００８５】
また、本実施形態において、回転ダイヤル部４１は、ヒンジ機構４Ａにおける開閉軸と略同軸の回転軸Ｚを中心に回転可能に構成されるが、これに限定されず、ユーザの操作によって回転自在な構成であればよい。例えば、回転ダイヤル部４１は、回転軸Ｚと直交する所定の回転軸を中心に回転可能に構成してもよい。
【００８６】
また、本実施形態において、回転ダイヤル部４１により選択可能な機能は上述の通りであるが、これに限定されず、例えば、ユーザ自身が頻繁に使用するメニューを登録可能な構成であってもよいし、また、所望のＷｅｂアドレスを登録しておき、当該Ｗｅｂアドレスを回転ダイヤル部４１により選択することによって、Ｗｅｂブラウザが起動して当該ＷｅｂアドレスのＷｅｂページを閲覧できるような構成であってもよい。また、メニューの数も上述した数（７つ）に限定されるものではない。
【００８７】
また、本実施形態によれば、各センサ１３３ａ、１３３ｂ、１３３ｃは、光透過部Ａにおける導光部ＴＡからそのまま出光した光を受光しているが、これに限定されず、例えば、図１３に示すように、波長選択フィルターやＰＬ（Ｐｏｌａｒｉｚｅｄ  Ｌｉｇｈｔ：偏光）フィルター等の光学フィルターを介して出光された光を受光するように構成してもよい。つまり、図１３に示すように、導光部ＴＡにおける出光部に光学フィルター１５０を配置するようにしてもよい。
【００８８】
また、本実施形態によれば、透光部１３５から屈曲又は散乱した光Ｌ３は、導光部における全長にわたって該導光部に入光するように構成されるが、これに限定されず、図１４に示すように、ＬＥＤ１３１側から所定距離だけ反射部１５１を形成して、傾斜部１３９Ａ近傍からだけ入光するように構成してもよい。
【００８９】
また、本実施形態において、ＬＥＤ１３１と各センサ１３３ａ、１３３ｂ、１３３ｃとが同じ側（同じ筐体、第１部材）に配置されているが、これに限定されず、図１５に示すように、ＬＥＤ１３１と各センサ１３３ａ、１３３ｂ、１３３ｃとが回転ダイヤル部４１を挟んで向かいあうように配置されていてもよい。この場合、第１部材に相当する部分１６０がＬＥＤ１３１側だけでなく、各センサ１３３ａ、１３３ｂ、１３３ｃ側にも配置される。この場合、透光部の配置、形状や機能について上述の実施形態に限定されない。
【００９０】
また、ＬＥＤ１３１から放射される光は、可視光に限定されない。
【００９１】
また、図１５に示すように、ＬＥＤ１３１と第１センサ１３３ａ、第２センサ１３３ｂ、第３センサ１３３ｃとが回転ダイヤル部４１を挟むように配置されていてもよい。この場合、導光部ＴＡ、ＴＢは、入射された光の偏光及び波長分布の少なくとも一方を変えて第１センサ１３３ａ、第２センサ１３３ｂ、第３センサ１３３ｃへ伝える。第１センサ１３３ａ、第２センサ１３３ｂ、第３センサ１３３ｃは、偏光の度合いや波長分布の違いに基づいて回転検出を行う。
【００９２】
また、本実施形態において導光部ＴＡに形成される傾斜部１３９Ａの角度を４５度にしているが、これに限定されず、例えば、４５度、６０度、７５度、９０度の４種類が存在するようにしてもよい。この場合、例えば、３つのセンサを用いたとすると、傾斜部の角度ごとに反射した光の強度が異なるので、６４通りの検出が可能となるこれにより、回転ダイヤル部４１において更に小さい回転角度ごとにアプリケーションを割り当てることができる。
【図面の簡単な説明】
【００９３】
【図１】本発明に係る携帯電話機の一例である携帯電話機１の外観図を示す。
【図２】回転ダイヤル部付近の拡大図を示す。
【図３】回転ダイヤル部の機能を示す図である。
【図４】回転ダイヤル部における回転を検出する検出構造を説明する図である。
【図５】図４における回転ダイヤル部及び検出機構を矢印Ｅ方向から見た図である。
【図６】光透過部Ａの構造を説明する断面図である。
【図７】光透過部Ｂの構造を説明する断面図である。
【図８】メール機能を選択した場合における光透過部の組み合わせを説明する図である。
【図９】カレンダ機能を選択した場合における光透過部の組み合わせを説明する図である。
【図１０】携帯電話機１の機能を示す機能ブロック図である。
【図１１】記憶部１００に記憶されるテーブル１１０である。
【図１２】携帯電話機１の動作を説明するフローチャートである。
【図１３】光透過部Ａにおける他の実施形態の構造を説明する断面図である。
【図１４】光透過部Ａにおける他の実施形態の構造を説明する断面図である。
【図１５】回転ダイヤル部における回転を検出する検出構造における他の実施形態を説明する図である。
【符号の説明】
【００９４】
１      携帯電話機
２      操作部側筐体
３      表示部側筐体
４      連結部
２１    ディスプレイ
４１    回転ダイヤル部
４２    目印
７０    処理部
７２    回転検出部
７４    制御部
１００  記憶部
１１０  テーブル
【図１】
2010010006.tif 000003
【図２】
2010010006.tif 000004
【図３】
2010010006.tif 000005
【図４】
2010010006.tif 000006
【図５】
2010010006.tif 000007
【図６】
2010010006.tif 000008
【図７】
2010010006.tif 000009
【図８】
2010010006.tif 000010
【図９】
2010010006.tif 000011
【図１０】
2010010006.tif 000012
【図１１】
2010010006.tif 000013
【図１２】
2010010006.tif 000014
【図１３】
2010010006.tif 000015
【図１４】
2010010006.tif 000016
【図１５】
2010010006.tif 000017